(57)【要約】  空気調和装置の室外機は、外郭の下部を構成した平板状かつ矩形形状の底部と、底部と設置面との間に隙間を形成した脚部と、底部の４隅に形成され、底部に開口して上方に突出した袋状の４つの凹部と、を備え、底部の外縁は、１対の第１対向辺と第１対向辺に直交する１対の第２対向辺とで構成され、凹部と凹部に隣接する第１対向辺の一方との間隔寸法Ｌ０が、５ｍｍ≦Ｌ０≦１５ｍｍを満たし、凹部の底部からの深さ寸法Ｈ０が、８０ｍｍ≦Ｈ０を満たす。
2019163127.tif 000002
【特許請求の範囲】
【請求項１】
外郭の下部を構成した平板状かつ矩形形状の底部と、
前記底部の４隅に形成され、前記底部に開口して上方に突出した袋状の４つの凹部と、を備え、
前記底部の外縁は、１対の第１対向辺と前記第１対向辺に直交する１対の第２対向辺とで構成され、
前記凹部と前記凹部に隣接する前記第１対向辺の一方との間隔寸法Ｌ０が、５ｍｍ≦Ｌ０≦１５ｍｍを満たし、
前記凹部の前記底部からの深さ寸法Ｈ０が、８０ｍｍ≦Ｈ０を満たす空気調和装置の室外機。
【請求項２】
前記間隔寸法Ｌ０は、前記第１対向辺に沿って一定の直線状である請求項１に記載の空気調和装置の室外機。
【請求項３】
前記凹部と前記凹部に隣接する前記第２対向辺の一方との間隔寸法Ｌ１が、Ｌ１≦２０ｍｍを満たす請求項１又は２に記載の空気調和装置の室外機。
【請求項４】
前記凹部の前記第１対向辺に沿った長さ寸法Ｌ２が、９０ｍｍ≦Ｌ２≦１５０ｍｍを満たす請求項１〜３のいずれか１項に記載の空気調和装置の室外機。
【請求項５】
前記凹部の前記第２対向辺に沿った長さ寸法Ｌ３が、２０ｍｍ≦Ｌ３≦４０ｍｍを満たす請求項１〜４のいずれか１項に記載の空気調和装置の室外機。
【請求項６】
４つの前記凹部は、同形状である請求項１〜５のいずれか１項に記載の空気調和装置の室外機。
【請求項７】
前記凹部の平面視の形状は、長方形である請求項１〜６のいずれか１項に記載の空気調和装置の室外機。
【請求項８】
前記底部は、長方形の矩形形状であり、
前記底部の外縁の１対の短辺は、前記第１対向辺であり、
前記凹部の前記１対の短辺の一方に隣接した縁部は、前記１対の短辺の一方に平行に配置される請求項７に記載の空気調和装置の室外機。
【請求項９】
前記底部は、長方形の矩形形状であり、
前記底部の外縁の１対の長辺は、前記第１対向辺であり、
前記凹部の前記１対の長辺の一方に隣接した縁部は、前記１対の長辺の一方に平行に配置される請求項７に記載の空気調和装置の室外機。
【請求項１０】
前記凹部の平面視の形状は、Ｌ字形状である請求項１〜６のいずれか１項に記載の空気調和装置の室外機。
【請求項１１】
前記底部は、長方形の矩形形状であり、
前記底部の外縁の１対の短辺は、前記第１対向辺であり、
前記底部の外縁の１対の長辺は、前記第１対向辺を兼ねる前記第２対向辺であり、
前記凹部の前記１対の短辺の一方に隣接した縁部は、前記１対の短辺の一方に平行に配置され、
前記凹部の前記１対の長辺の一方に隣接した縁部は、前記１対の長辺の一方に平行に配置される請求項１０に記載の空気調和装置の室外機。
【請求項１２】
請求項１〜１１のいずれか１項に記載の空気調和装置の室外機を備える空気調和装置。
【発明の詳細な説明】
【技術分野】
【０００１】
本発明は、底部に把持用の凹部を備える空気調和装置の室外機及び空気調和装置に関する。
【背景技術】
【０００２】
業務用の空気調和装置の室外機は、家庭用の空気調和装置の室外機に比較し、重量を有する。このような重い室外機が運搬される際には、２名の作業者が室外機の前後又は左右の側面に設けられたハンドル部に手を掛ける。そして、２名の作業者が室外機を持ち上げて運搬作業を行うことが一般的である。【０００３】
しかし、２名の作業者が階段あるいは段差を歩行して運搬する際に作業者が室外機の底部を把持して運搬する場合がある。この場合には、作業者が室外機を高く持ち上げる必要があり、作業者の手あるいは腰への負担が大きい。また、室外機の底部には、手を掛ける部分が基本的に無く、室外機が把持し難い構造を採っているため、運搬時に室外機の落下の可能性も高い。【０００４】
特許文献１には、室外機の底部にハンドル部を設けた技術が開示されている。
【先行技術文献】
【特許文献】
【０００５】
【特許文献１】特開２００４−１７７０１９号公報
【発明の概要】
【発明が解決しようとする課題】
【０００６】
しかしながら、特許文献１の技術では、ハンドル部が把持し難い形状であり、作業者の手への負担が依然大きい。すなわち、ハンドル部の深さあるいは位置が定まってなく、作業者がハンドル部に手を上手く掛けて室外機の重量をしっかりと支えられなかった。【０００７】
本発明は、上記課題を解決するためのものであり、室外機の運搬の際に作業者の手への負担が減り、作業者が室外機を安定して持ち上げて運搬できる空気調和装置の室外機及び空気調和装置を提供することを目的とする。
【課題を解決するための手段】
【０００８】
本発明に係る空気調和装置の室外機は、外郭の下部を構成した平板状かつ矩形形状の底部と、前記底部の４隅に形成され、前記底部に開口して上方に突出した袋状の４つの凹部と、を備え、前記底部の外縁は、１対の第１対向辺と前記第１対向辺に直交する１対の第２対向辺とで構成され、前記凹部と前記凹部に隣接する前記第１対向辺の一方との間隔寸法Ｌ０が、５ｍｍ≦Ｌ０≦１５ｍｍを満たし、前記凹部の前記底部からの深さ寸法Ｈ０が、８０ｍｍ≦Ｈ０を満たすものである。【０００９】
本発明に係る空気調和装置は、上記の空気調和装置の室外機を備えるものである。
【発明の効果】
【００１０】
本発明に係る空気調和装置の室外機及び空気調和装置によれば、凹部と凹部に隣接する第１対向辺の一方との間隔寸法Ｌ０が、５ｍｍ≦Ｌ０≦１５ｍｍを満たし、凹部の底部からの深さ寸法Ｈ０が、８０ｍｍ≦Ｈ０を満たす。これにより、２名の作業者は、底部に設けられた４つの凹部に両者の左右両方の手を差し込み、凹部とその凹部に隣接する第１対向辺間を手の指における第２間接から第３間接の間である基節骨にてしっかり支えられる。したがって、室外機の運搬の際に作業者の手への負担が減り、作業者が室外機を安定して持ち上げて運搬できる。
【図面の簡単な説明】
【００１１】
【図１】本発明の実施の形態１に係る空気調和装置を示す冷媒回路図である。
【図２】本発明の実施の形態１に係る空気調和装置の室外機を示す正面図である。
【図３】本発明の実施の形態１に係る空気調和装置の室外機を示す分解斜視図である。
【図４】本発明の実施の形態１に係る４つの凹部を有する底部を示す下視図である。
【図５】本発明の実施の形態１に係る手指を挿入した凹部を断面で示す概略図である。
【図６】本発明の実施の形態１に係る手指を挿入した凹部を斜視で示す概略図である。
【図７】本発明の実施の形態１に係る空気調和装置の室外機の運搬状態を示す概略図である。
【図８】本発明の実施の形態１の変形例１に係る４つの凹部を有する底部を示す下視図である。
【図９】本発明の実施の形態１の変形例２に係る４つの凹部を有する底部を示す下視図である。
【発明を実施するための形態】
【００１２】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１３】
実施の形態１．
＜空気調和装置１００の構成＞
図１は、本発明の実施の形態１に係る空気調和装置１００を示す冷媒回路図である。図１に示す空気調和装置１００は、室外機１０１と室内機１０２とをガス冷媒配管１０３及び液冷媒配管１０４によって接続されている。
【００１４】
室外機１０１は、圧縮機１０５、四方弁１０６、室外熱交換器１０７及び膨張弁１０８を有する。
【００１５】
圧縮機１０５は、吸入した冷媒を圧縮して吐出する。圧縮機１０５は、たとえばインバータ回路などにより、運転周波数を任意に変化させ、圧縮機１０５の単位時間あたりの冷媒を送り出す容量を変化させてもよい。
【００１６】
四方弁１０６は、たとえば冷房運転時と暖房運転時とによって冷媒の流れを切り換える弁である。
【００１７】
室外熱交換器１０７は、冷媒と室外の空気との熱交換を行う。室外熱交換器１０７は、冷房運転時に凝縮器として機能し、冷媒を凝縮して液化させる。室外熱交換器１０７は、暖房運転時に蒸発器として機能し、冷媒を蒸発させ、気化させる。
【００１８】
膨張弁１０８は、流量制御弁であり、冷媒を減圧して膨張させる。膨張弁１０８は、たとえば電子式膨張弁などで構成された場合には、図示しない制御装置などの指示に基づいて開度調整を行える。
【００１９】
室内機１０２は、室内熱交換器１０９を有する。室内熱交換器１０９は、たとえば空調対象の空気と冷媒との熱交換を行う。室内熱交換器１０９は、冷房運転時に蒸発器として機能し、冷媒を蒸発させ、気化させる。室内熱交換器１０９は、暖房運転時に凝縮器として機能し、冷媒を凝縮して液化させる。
【００２０】
以上のように空気調和装置１００を構成することにより、室外機１０１の四方弁１０６によって冷媒の流れを切り換え、冷房運転又は暖房運転が実現できる。
【００２１】
＜空気調和装置１００の室外機１０１の構成＞
図２は、本発明の実施の形態１に係る空気調和装置１００の室外機１０１を示す正面図である。図３は、本発明の実施の形態１に係る空気調和装置１００の室外機１０１を示す分解斜視図である。
【００２２】
空気調和装置１００の室外機１０１は、外側に、底部１と、脚部２と、２つに分離した正面側板３と、左右の２つの側板４、５と、を備える。底部１と、２つに分離した正面側板３と、左右の２つの側板４、５と、は、空気調和装置１００の室外機１０１の外郭を構成している。２つに分離した正面側板３と、左右の２つの側板４、５と、は、底部１に螺子止めなどによって固定されている。空気調和装置１００の室外機１０１は、内部に、圧縮機１０５と、四方弁１０６と、室外熱交換器１０７と、膨張弁１０８と、２つのプロペラファン６、７と、を備える。
【００２３】
＜底部１の構成＞
図４は、本発明の実施の形態１に係る４つの凹部８を有する底部１を示す下視図である。底部１は、外郭の下部を構成した平板状かつ長方形の矩形形状である。長方形の矩形形状の底部１の外縁は、１対の短辺９及び１対の長辺１０で構成されている。長方形の矩形形状である底部１の外縁は、１対の第１対向辺と、第１対向辺に直交する１対の第２対向辺と、で構成されている。すなわち、底部１の外縁の１対の短辺９は、第１対向辺である。底部１の外縁の１対の長辺１０は、第２対向辺である。
【００２４】
底部１の下面部には、底部１と設置面との間に隙間を形成した脚部２が取付けられている。なお、底部１と設置面との間に隙間が形成できれば脚部２ではなく、底部１に段差部あるいは下方への突出部を設けてもよい。また、底部１と設置面との間に隙間が存在しなくてもよい。
【００２５】
底部１は、冷媒回路を構成する圧縮機１０５及び室外熱交換器１０７などが搭載されている。底部１は、室外熱交換器１０７の熱交換によって発生するドレン水を捕集し、排水口から排水するドレンパンの役割を果たす。そのため、底部１は、排水口以外の開口が無い状態に形成されている。
【００２６】
＜凹部８の詳細＞
底部１には、底部１の４隅に形成され、底部１に開口して上方に突出した袋状の４つの凹部８が設けられている。凹部８の平面視の形状は、長方形である。４つの凹部８は、同形状である。凹部８の１対の短辺９の一方に隣接した縁部８ａは、底部１の第１対向辺である１対の短辺９の一方に平行に配置されている。長手方向に長い室外機１０１の場合又は設置場所若しくは運搬経路上の理由から室外機１０１を短手方向の前後から把持できない場合に、図４に示すように４つの凹部８が設けられる。なお、凹部８は、使い方あるいは設置箇所によって形状を変更してもよい。
【００２７】
凹部８の製造方法は、底部１の板金をプレス加工によって底部１と凹部８とが一体となった構成に製造してもよい。また、底部１に凹部８を装着させる孔を開け、樹脂素材の凹部８の部品を底部１に装着させて製造してもよい。
【００２８】
図５は、本発明の実施の形態１に係る手指を挿入した凹部８を断面で示す概略図である。図６は、本発明の実施の形態１に係る手指を挿入した凹部８を斜視で示す概略図である。
【００２９】
図４〜図６に示すように、凹部８とこの凹部８に隣接する第１対向辺の一方である短辺９との間隔寸法Ｌ０が、５ｍｍ≦Ｌ０≦１５ｍｍを満たす。間隔寸法Ｌ０は、短辺９に沿って一定の直線状である。これにより、作業者は、室外機１０１の重量を指の第２間接１１から第３間接１２までの部分である基節骨１３にて支えられる。
【００３０】
凹部８の底部１から上方に袋状に突出した深さ寸法Ｈ０が、室外機１０１の内部部品に干渉しない範囲で８０ｍｍ≦Ｈ０を満たす。これにより、作業者は、手指のうち親指以外の４指の先端から第２間接１１までを凹部８内に挿入できる。
【００３１】
凹部８とこの凹部８に隣接する第２対向辺の一方である長辺１０との間隔寸法Ｌ１が、物理的に長辺１０の外縁を構成できる範囲でＬ１≦２０ｍｍを満たす。これにより、作業者は、凹部８に手指を挿入した際に、図６に示すように親指１４を長辺１０の側壁側である正面側板３側などに逃がせる。なお、底部１の短辺９が長いなどの場合には、間隔寸法Ｌ１≦２０ｍｍが満たされなくてもよい。
【００３２】
凹部８の短辺９に沿った長さ寸法Ｌ２が、９０ｍｍ≦Ｌ２≦１５０ｍｍを満たす。これにより、作業者は、親指１４以外の４指が全て凹部８に収められる。
【００３３】
凹部８の長辺１０に沿った長さ寸法Ｌ３が、２０ｍｍ≦Ｌ３≦４０ｍｍを満たす。運搬作業において作業者は、手袋などの保護具１５をつけて作業することが多い。そのため、作業者が保護具１５を装着しても十分に親指１４以外の４指を凹部８に収められる。
【００３４】
以上の構成の凹部８を利用することにより、２名の作業者が両者の左右の手指の基節骨１３にて室外機１０１の重量を支えられ、作業者の手への負担が軽減される。
【００３５】
＜室外機１０１の運搬状態＞
図７は、本発明の実施の形態１に係る空気調和装置１００の室外機１０１の運搬状態を示す概略図である。図７に示すように、２名の作業者が階段などの段差を超えるのに十分な高さＨ１まで室外機１０１を持ち上げた際に、２名の作業者が手指を凹部８に挿入して室外機１０１を安定して把持でき、室外機１０１の落下の可能性が少なくできる。
【００３６】
＜変形例１＞
図８は、本発明の実施の形態１の変形例１に係る４つの凹部８を有する底部１を示す下視図である。変形例１では、上記実施の形態１と同様な事項を省略し、異なる特徴部分のみを説明する。
【００３７】
図８に示すように、底部１の外縁の１対の長辺１０は、第１対向辺である。凹部８の１対の長辺１０の一方に隣接した縁部８ｂは、底部１の第１対向辺である１対の長辺１０の一方に平行に配置されている。室外機１０１を短手方向の前後から把持できる場合に、図８に示すように４つの凹部８が設けられる。
【００３８】
＜変形例２＞
図９は、本発明の実施の形態１の変形例２に係る４つの凹部８を有する底部１を示す下視図である。変形例２では、上記実施の形態１と同様な事項を省略し、異なる特徴部分のみを説明する。
【００３９】
図９に示すように、凹部８の平面視の形状は、Ｌ字形状である。底部１の外縁の１対の短辺９は、第１対向辺である。底部１の外縁の１対の長辺１０は、第１対向辺を兼ねる第２対向辺である。凹部８の１対の短辺９の一方に隣接した縁部８ｃは、底部１の第１対向辺である１対の短辺９の一方に平行に配置されている。凹部８の１対の長辺１０の一方に隣接した縁部８ｄは、底部１の第１対向辺である１対の長辺１０の一方に平行に配置されている。室外機１０１を短手方向の前後から把持したり長手方向の左右から把持したり双方を両立させる場合に、図９に示すように４つの凹部８が設けられる。この場合には、間隔寸法Ｌ１が間隔寸法Ｌ０に全て含まれる。
【００４０】
＜実施の形態１の効果＞
実施の形態１によれば、空気調和装置１００の室外機１０１は、外郭の下部を構成した平板状かつ矩形形状の底部１を備える。空気調和装置１００の室外機１０１は、底部１の４隅に形成され、底部１に開口して上方に突出した袋状の４つの凹部８を備える。底部１の外縁は、１対の第１対向辺である１対の短辺９と第１対向辺に直交する１対の第２対向辺である１対の長辺１０とで構成されている。凹部８と凹部８に隣接する第１対向辺の一方である短辺９の間隔寸法Ｌ０が、５ｍｍ≦Ｌ０≦１５ｍｍを満たす。凹部８の底部１からの深さ寸法Ｈ０が、８０ｍｍ≦Ｈ０を満たす。あるいは、底部１の外縁は、１対の第１対向辺である１対の長辺１０と第１対向辺に直交する１対の第２対向辺である１対の短辺９とで構成されている。凹部８と凹部８に隣接する第１対向辺の一方である長辺１０との間隔寸法Ｌ０が、５ｍｍ≦Ｌ０≦１５ｍｍを満たす。凹部８の底部１からの深さ寸法Ｈ０が、８０ｍｍ≦Ｈ０を満たす。
【００４１】
この構成によれば、５ｍｍ≦間隔寸法Ｌ０が満たされることにより、間隔寸法Ｌ０が作業者の手指の基節骨１３に局所的に尖らず、作業者が室外機１０１を痛み無く持ち上げられる。間隔寸法Ｌ０≦１５ｍｍが満たされることにより、間隔寸法Ｌ０が作業者の手指の基節骨１３に収まる。底部１に搭載された部品に干渉しない範囲で８０ｍｍ≦深さ寸法Ｈ０が満たされることにより、作業者の手指が間隔寸法Ｌ０を基節骨１３に接触できるように凹部８に深く挿入できる。これにより、２名の作業者は、底部１に設けられた４つの凹部８に両者の左右両方の手を差し込み、凹部８とその凹部８に隣接する第１対向辺である短辺９あるいは長辺１０との間を手の指における第２間接１１から第３間接１２の間である基節骨１３にてしっかり支えられる。そのため、２名の作業者は、底部１に設けられた４つの凹部８に両者の左右の手指を差し込むことにより、室外機１０１を安定して把持できる。それにより、不安定な把持による室外機１０１の落下の可能性が抑制される。また、４つの凹部８は、２名の作業者が室外機１０１を手指の基節骨１３によって支えられる。それにより、２名の作業者の手への負担が軽減され、室外機１０１の持ち上げあるいは運搬が容易になる。したがって、室外機１０１における搬入又は撤去などの運搬の際に作業者の手への負担が減り、作業者が室外機１０１を安定して持ち上げて運搬できる。
【００４２】
実施の形態１によれば、間隔寸法Ｌ０は、第１対向辺である短辺９あるいは長辺１０に沿って一定の直線状である。
【００４３】
この構成によれば、２名の作業者は、底部１に設けられた４つの凹部８に両者の左右両方の手を差し込み、凹部８とその凹部８に隣接する第１対向辺である短辺９あるいは長辺１０との間の直線状の間隔部分を手の指における第２間接１１から第３間接１２の間である基節骨１３にてしっかり支えられる。
【００４４】
実施の形態１によれば、凹部８と凹部８に隣接する第２対向辺の一方である長辺１０あるいは短辺９との間隔寸法Ｌ１が、Ｌ１≦２０ｍｍを満たす。
【００４５】
この構成によれば、物理的に外郭を構成できる範囲で間隔寸法Ｌ１≦２０ｍｍが満たされることにより、２名の作業者の手指のうち親指１４が室外機１０１の第２対向辺側である長辺１０側あるいは短辺９側の側面に逃げられる。すなわち、２名の作業者は、底部１に設けられた４つの凹部８に両者の左右両方の手を差し込み、凹部８とその凹部８に隣接する第１対向辺である短辺９あるいは長辺１０との間を手の指における第２間接１１から第３間接１２の間である基節骨１３にてしっかり支える。このとき、２名の作業者は、手の平を室外機１０１側に向けるので、親指１４がその作業者の人体から左右の外方を向く。ここで、凹部８に基節骨１３まで親指１４以外の４指が差し込まれていても、凹部８とその凹部８に隣接する第２対向辺である長辺１０あるいは短辺９との距離が狭い。これにより、２名の作業者の手指のうち親指１４が室外機１０１の第２対向辺側である長辺１０側あるいは短辺９側の側面に逃げられる。これにより、２名の作業者は、無理な態勢にならずに手に力を強く入れられて室外機１０１をしっかり支えられる。
【００４６】
実施の形態１によれば、凹部８の第１対向辺である短辺９あるいは長辺１０に沿った長さ寸法Ｌ２が、９０ｍｍ≦Ｌ２≦１５０ｍｍを満たす。
【００４７】
この構成によれば、９０ｍｍ≦長さ寸法Ｌ２が満たされることにより、１つの凹部８に作業者の片手の親指１４以外の４指が挿入できる。また、長さ寸法Ｌ２≦１５０ｍｍが満たされることにより、１つの凹部８に差し込んだ片手の親指１４以外の４指が凹部８内でずれ難く、２名の作業者が室外機１０１を安定して把持できる。
【００４８】
実施の形態１によれば、凹部８の第２対向辺である長辺１０あるいは短辺９に沿った長さ寸法Ｌ３が、２０ｍｍ≦Ｌ３≦４０ｍｍを満たす。
【００４９】
この構成によれば、２０ｍｍ≦長さ寸法Ｌ３が満たされることにより、１つの凹部８に作業者の片手の親指１４以外の４指が挿入できる。長さ寸法Ｌ３≦４０ｍｍが満たされることにより、１つの凹部８に差し込んだ片手の親指１４以外の４指が凹部８内でずれ難く、２名の作業者が室外機１０１を安定して把持できる。
【００５０】
実施の形態１によれば、４つの凹部８は、同形状である。
【００５１】
この構成によれば、凹部８の加工が単純であり、室外機１０１が製造容易である。
【００５２】
実施の形態１によれば、凹部８の平面視の形状は、長方形である。
【００５３】
この構成によれば、１つの凹部８に作業者の片手の親指１４以外の４指が挿入できる。
【００５４】
実施の形態１によれば、底部１は、長方形の矩形形状である。底部１の外縁の１対の短辺９は、第１対向辺である。凹部８の１対の短辺９の一方に隣接した縁部８ａは、底部１の１対の短辺９の一方に平行に配置されている。
【００５５】
この構成によれば、底部１の１対の短辺９側に向かい合った２名の作業者が４つの凹部８に両者の左右の手指を差し込み、室外機１０１を安定して把持できる。
【００５６】
実施の形態１によれば、底部１は、長方形の矩形形状である。底部１の外縁の１対の長辺１０は、第１対向辺である。凹部８の１対の長辺１０に隣接した縁部８ｂは、底部１の１対の長辺１０の一方に平行に配置されている。
【００５７】
この構成によれば、底部１の１対の長辺１０側に向かい合った２名の作業者が４つの凹部８に両者の左右の手指を差し込み、室外機１０１を安定して把持できる。
【００５８】
実施の形態１によれば、凹部８の平面視の形状は、Ｌ字形状である。
【００５９】
この構成によれば、２名の作業者が底部１の１対の短辺９側又は１対の長辺１０側のどちらに向かい合った場合でも、２名の作業者が４つの凹部８に両者の左右の手指を差し込み、室外機１０１を安定して把持できる。
【００６０】
実施の形態１によれば、底部１は、長方形の矩形形状である。底部１の外縁の１対の短辺９は、第１対向辺である。底部１の外縁の１対の長辺１０は、第１対向辺を兼ねる第２対向辺である。凹部８の１対の短辺９の一方に隣接した縁部８ｃは、１対の短辺９の一方に平行に配置されている。凹部８の１対の長辺１０の一方に隣接した縁部８ｄは、１対の長辺１０の一方に平行に配置されている。
【００６１】
この構成によれば、２名の作業者が底部１の１対の短辺９側又は１対の長辺１０側のどちらに向かい合った場合でも、２名の作業者が４つの凹部８に両者の左右の手指を差し込み、室外機１０１を安定して把持できる。
【００６２】
実施の形態１によれば、空気調和装置１００は、上記の空気調和装置１００の室外機１０１を備える。
【００６３】
この構成によれば、上記の空気調和装置１００の室外機１０１を備える空気調和装置１００では、室外機１０１の搬入又は撤去などの運搬の際の作業者の手への負担が減り、室外機１０１が作業者に安定して持ち上げられて運搬できる。
【符号の説明】
【００６４】
１  底部、２  脚部、３  正面側板、４  側板、５  側板、６  プロペラファン、７  プロペラファン、８  凹部、８ａ  縁部、８ｂ  縁部、８ｃ  縁部、８ｄ  縁部、９  短辺、１０  長辺、１１  第２間接、１２  第３間接、１３  基節骨、１４  親指、１５  保護具、１００  空気調和装置、１０１  室外機、１０２  室内機、１０３  ガス冷媒配管、１０４  液冷媒配管、１０５  圧縮機、１０６  四方弁、１０７  室外熱交換器、１０８  膨張弁、１０９  室内熱交換器。
【図１】
2019163127.tif 000003
【図２】
2019163127.tif 000004
【図３】
2019163127.tif 000005
【図４】
2019163127.tif 000006
【図５】
2019163127.tif 000007
【図６】
2019163127.tif 000008
【図７】
2019163127.tif 000009
【図８】
2019163127.tif 000010
【図９】
2019163127.tif 000011
【手続補正書】
【提出日】令和2年6月25日(2020.6.25)
【手続補正１】
【補正対象書類名】明細書
【補正対象項目名】０００８
【補正方法】変更
【補正の内容】
【０００８】
本開示に係る空気調和装置の室外機は、外郭の下部を構成した平板状かつ矩形形状の底部と、前記底部の４隅に形成され、前記底部に開口して上方に突出した袋状の４つの凹部と、を備え、前記底部の外縁は、１対の第１対向辺と前記第１対向辺に直交する１対の第２対向辺とで構成され、前記凹部と前記凹部に隣接する前記第１対向辺の一方との間隔寸法Ｌ０が、５ｍｍ≦Ｌ０≦１５ｍｍを満たし、前記凹部の前記底部からの深さ寸法Ｈ０が、８０ｍｍ≦Ｈ０を満たし、前記凹部と前記凹部に隣接する前記第２対向辺の一方との間隔寸法Ｌ１が、Ｌ１≦２０ｍｍを満たす。
【手続補正２】
【補正対象書類名】特許請求の範囲
【補正対象項目名】全文
【補正方法】変更
【補正の内容】
【特許請求の範囲】
【請求項１】
外郭の下部を構成した平板状かつ矩形形状の底部と、
前記底部の４隅に形成され、前記底部に開口して上方に突出した袋状の４つの凹部と、を備え、
前記底部の外縁は、１対の第１対向辺と前記第１対向辺に直交する１対の第２対向辺とで構成され、
前記凹部と前記凹部に隣接する前記第１対向辺の一方との間隔寸法Ｌ０が、５ｍｍ≦Ｌ０≦１５ｍｍを満たし、
前記凹部の前記底部からの深さ寸法Ｈ０が、８０ｍｍ≦Ｈ０を満たし、
前記凹部と前記凹部に隣接する前記第２対向辺の一方との間隔寸法Ｌ１が、Ｌ１≦２０ｍｍを満たす空気調和装置の室外機。
【請求項２】
前記間隔寸法Ｌ０は、前記第１対向辺に沿って一定の直線状である請求項１に記載の空気調和装置の室外機。
【請求項３】
前記凹部の前記第１対向辺に沿った長さ寸法Ｌ２が、９０ｍｍ≦Ｌ２≦１５０ｍｍを満たす請求項１又は２に記載の空気調和装置の室外機。
【請求項４】
前記凹部の前記第２対向辺に沿った長さ寸法Ｌ３が、２０ｍｍ≦Ｌ３≦４０ｍｍを満たす請求項１〜３のいずれか１項に記載の空気調和装置の室外機。
【請求項５】
４つの前記凹部は、同形状である請求項１〜４のいずれか１項に記載の空気調和装置の室外機。
【請求項６】
前記凹部の平面視の形状は、長方形である請求項１〜５のいずれか１項に記載の空気調和装置の室外機。
【請求項７】
前記底部は、長方形の矩形形状であり、
前記底部の外縁の１対の短辺は、前記第１対向辺であり、
前記凹部の前記１対の短辺の一方に隣接した縁部は、前記１対の短辺の一方に平行に配置される請求項６に記載の空気調和装置の室外機。
【請求項８】
前記底部は、長方形の矩形形状であり、
前記底部の外縁の１対の長辺は、前記第１対向辺であり、
前記凹部の前記１対の長辺の一方に隣接した縁部は、前記１対の長辺の一方に平行に配置される請求項６に記載の空気調和装置の室外機。
【請求項９】
前記凹部の平面視の形状は、Ｌ字形状である請求項１〜５のいずれか１項に記載の空気調和装置の室外機。
【請求項１０】
前記底部は、長方形の矩形形状であり、
前記底部の外縁の１対の短辺は、前記第１対向辺であり、
前記底部の外縁の１対の長辺は、前記第１対向辺を兼ねる前記第２対向辺であり、
前記凹部の前記１対の短辺の一方に隣接した縁部は、前記１対の短辺の一方に平行に配置され、
前記凹部の前記１対の長辺の一方に隣接した縁部は、前記１対の長辺の一方に平行に配置される請求項９に記載の空気調和装置の室外機。
【請求項１１】
請求項１〜１０のいずれか１項に記載の空気調和装置の室外機を備える空気調和装置。
【国際調査報告】
2019163127.tif 000012
2019163127.tif 000013
2019163127.tif 000014
2019163127.tif 000015